(57)【要約】      （修正有）【課題】再生・再利用可能な袋を提供すること。【解決手段】袋の基布２とは異なる材質からなる又は該異なる材質の要素が含まれる袋部品又は付属品を該基布２に、所定の温度域若しくは所定の温度以上に高められた温水若しくはアルコール含有水に溶解する温水可溶糸８ａを上糸１０及び下糸１１の少なくとも一方の糸に用いたミシン縫いにより又は該温水可溶糸８ａを用いた手縫いにより、縫い付けてなる袋。【選択図】図１
2014125269.tif 000002
【特許請求の範囲】
【請求項１】
袋の基布とは異なる材質からなる又は該異なる材質の要素が含まれる袋部品又は付属品を該基布に、所定の温度域若しくは所定の温度以上に高められた温水、アルカリ温水若しくはアルコール含有水に溶解する温水可溶糸を上糸及び下糸の少なくとも一方の糸に用いたミシン縫いにより又は該温水可溶糸を用いた手縫いにより、縫い付けてなる袋。
【請求項２】
袋状に形作られた基布同士を、或いは袋の基布と取手布とを、所定の温度以上に若しくは所定の温度域に高められた温水、アルカリ温水若しくはアルコール含有水に溶解する温水可溶糸を上糸及び下糸の少なくとも一方の糸に用いたミシン縫いにより又は該温水可溶糸を用いた手縫いにより縫い上げてなる袋。
【請求項３】
前記温水可溶糸は、常温水には不溶であるが、５０℃乃至７０℃の温度域に又は６０℃±３℃の範囲内の或る温度以上に高められた温水又はアルカリ温水において易溶解する糸である、請求項１記載の袋。
【請求項４】
前記温水可溶糸は、常温水には不溶であるが、５０℃乃至７０℃の温度域に又は６０℃±３℃の範囲内の或る温度以上に高められた温水又はアルカリ温水において易溶解する糸である、請求項２記載の袋。
【請求項５】
前記温水可溶糸は、水溶性ポリビニルアルコール（ＰＶＡ）繊維又はビニロン繊維から紡糸されてなる、請求項１又は請求項３記載の袋。
【請求項６】
前記温水可溶糸は、水溶性ポリビニルアルコール（ＰＶＡ）繊維又はビニロン繊維から紡糸されてなる、請求項２又は請求項４記載の袋。
【請求項７】
前記水溶性ポリビニルアルコール（ＰＶＡ）繊維又はビニロン繊維は、５０℃乃至７０℃の温度域に又は６０℃±３℃の範囲内の或る温度以上に高められた温水又はアルカリ温水と接触したとき、該温水に溶解する値のけん化度を有する繊維である、請求項５記載の袋。
【請求項８】
前記水溶性ポリビニルアルコール（ＰＶＡ）繊維は、８５乃至９２のけん化度を有する繊維である、請求項７記載の袋。
【請求項９】
前記水溶性ポリビニルアルコール（ＰＶＡ）繊維又はビニロン繊維は、５０℃乃至７０℃の温度域に又は６０℃±３℃の範囲内の或る温度以上に高められた温水と接触したとき、該温水に溶解する値のけん化度を有する繊維である、請求項６記載の袋。
【請求項１０】
前記水溶性ポリビニルアルコール（ＰＶＡ）繊維は、８５乃至９２のけん化度を有する繊維である、請求項９記載の袋。
【請求項１１】
前記基布は、不織布又は織布である、請求項１、請求項３、請求項５、請求項７及び請求項８のうちいずれか一項記載の袋。
【請求項１２】
前記基布は、ポリプロピレン不織布である、請求項１１記載の袋。
【請求項１３】
前記基布は、不織布又は織布である、請求項２、請求項４、請求項６、請求項９及び請求項１０のうちいずれか一項記載の袋。
【請求項１４】
前記基布は、ポリプロピレン不織布である、請求項１３記載の袋。
【請求項１５】
前記袋部品は、取手、袋口を封じ若しくは閉じるための止め部品、又は、袋口を開閉するための開閉部品である、請求項１、請求項３、請求項５、請求項７、請求項８、請求項１１及び請求項１２のうちいずれか一項記載の袋。
【請求項１６】
前記止め部品は、スナップ又は釦が取付けられた止め布である、請求項１５記載の袋。
【請求項１７】
前記開閉部品は、線ファスナーが取付けられた布、又は、面ファスナーが貼り付けられた布である、請求項１５記載の袋。
【請求項１８】
前記付属品は、ポケット部品、窓部品、装飾布、又は、飾り材の付いた布である、請求項１、請求項３、請求項５、請求項７、請求項８、請求項１１及び請求項１２のうちいずれか一項記載の袋。
【請求項１９】
前記袋は配送品収納袋、持ち帰り袋又は買物袋である、請求項１、請求項３、請求項５、請求項７、請求項８、請求項１１、請求項１２、請求項１５、請求項１６、請求項１７及び請求項１８のうちいずれか一項記載の袋。
【請求項２０】
前記袋は配送品収納袋、持ち帰り袋又は買物袋である、請求項２、請求項４、請求項６、請求項９、請求項１０、請求項１３及び請求項１４のうちいずれか一項記載の袋。
【発明の詳細な説明】
【技術分野】
【０００１】
本発明は、袋の再生・再利用を容易に為すことができる袋類、より詳しくは、袋部品又は付属品の袋本体への縫い付け、又は袋の基布同士の縫合或いは袋の基布と取手布との縫い上げにおいて温水可溶糸が用いられている各種の袋に関する。
【背景技術】
【０００２】
近年、資源の有効活用という観点から、例えば配送品の包装・配送に用いる袋の用途、又は、小売店から購入した商品の持ち帰りに用いる袋の用途においても、繰り返し使用できる袋の適用が提案されている。
例えば、本発明者は、これまでに、袋本体を構成する基材、袋の縫製に用いる糸及び袋本体に取り付ける面ファスナーを全て同じポリオレフィン素材とする配送品収納袋（特許文献１）や、袋本体を構成する基材、袋の縫製に用いる糸及び袋本体に取り付ける取っ手を全て同じポリオレフィン素材とする持ち帰り袋（特許文献２）等を提案している。
一般に、資源の再生・再利用を行う際には、回収された資源を素材、材質の種類毎に分別し、そして分別されたもの毎に再生処理を行うのが便宜であり、通常そのように行なわれており、これらの従来の袋は、袋本体を構成する基材、袋の縫製に用いる糸及び袋本体に取付ける面ファスナーや取っ手が同じ素材・材質からなるものであることから、再生の際に袋を分解し素材・材質ごとに分別するという作業を省くことができるため、再生処理を容易に行えるというものである。
【先行技術文献】
【特許文献】
【０００３】
【特許文献１】特開２０１１−１６８２９３号公報
【特許文献２】特開２０１１−１６８２９２号公報
【発明の概要】
【発明が解決しようとする課題】
【０００４】
しかしながら、袋に取り付ける面ファスナーとしては、通常ナイロン製又はポリエステル製のもの、つまりポリオレフィン製ではないものが多く利用されており、その上ポリオレフィン製面ファスナーの製造は相当の困難を伴うものであった。
また、配送品収納袋にあっては、配送伝票類を入れるためのポケット部品などが通常取り付けられる。そのようなポケット部品の材質としては従来透明性の高い樹脂が用いられ、ポリオレフィン樹脂以外の樹脂材料も多く使用されている。
また持ち帰り袋にあっては、袋に取付ける取手が袋基材と同じポリオレフィン樹脂のものに限定され、又ポケット等の付属品を取り付ける場合はその付属品が袋の基材と同じポリオレフィン樹脂のものに限定されてしまうので、袋のデザイン上大きな制約が生じ、この点で都合の悪いものであった。
このように、配送品収納袋や持ち帰り袋においては、袋部品、付属品又は取手を全て袋本体の基材と同じ材質のものとすることはデザイン上或いは生産上難しいことが多く、そしてこれまで、多くの場合、袋部品、付属品又は取手には袋の基材とは異なる材質の材料が使用されており、そのような袋の再生・再利用の際には、これら袋部品等を袋本体より取り外すという煩雑な作業が必要になり、結果として、袋の再生・再利用がコスト高となってなかなか進まないという問題があった。
【課題を解決するための手段】
【０００５】
本発明は上述の事情を鑑みて為されたものであって、特に袋部品、取手または付属品が袋基布と異なる材質からなる袋の再生・再利用の容易化を図るべく、本発明者が鋭意工夫
した結果、袋部品又は付属品の袋の基布への縫い付け、又は袋の基布同士或いは袋基布と取手布の縫い合せにおいて温水可溶糸を用いることにより、これらの袋部品、付属品若しくは取手布の袋基布からの取り外し又は袋本体の分解を、例えば袋を高められた温水等に浸漬させる工程によって、特に再生処理に先立つ温水洗浄工程によって、容易に行うことができることを見出し、本発明を完成したのである。
すなわち、本発明は、以下の（１）乃至（１８）に記載される袋に関する。
（１）袋の基布とは異なる材質からなる又は該異なる材質の要素が含まれる袋部品又は付属品を該基布に、所定の温度域若しくは所定の温度以上に高められた温水、アルカリ温水若しくはアルコール含有水に溶解する温水可溶糸を上糸及び下糸の少なくとも一方の糸に用いたミシン縫いにより又は該温水可溶糸を用いた手縫いにより、縫い付けてなる袋。
（２）袋状に形作られた基布同士を、或いは袋の基布と取手布とを、所定の温度以上に若しくは所定の温度域に高められた温水若しくはアルコール含有水、アルカリ温水若しくはアルコール含有温水に溶解する温水可溶糸を上糸及び下糸の少なくとも一方の糸に用いたミシン縫いにより又は該温水可溶糸を用いた手縫いにより縫い上げてなる袋。
（３）前記温水可溶糸は、常温水には不溶であるが、５０℃乃至７０℃の温度域に又は６０℃±３℃の範囲内の或る温度以上に高められた温水又はアルカリ温水において易溶解する糸である、上記（１）記載の袋。
（４）前記温水可溶糸は、常温水には不溶であるが、５０℃乃至７０℃の温度域に又は６０℃±３℃の範囲内の或る温度以上に高められた温水又はアルカリ温水において易溶解する糸である、上記（２）記載の袋。
（５）前記温水可溶糸は、水溶性ポリビニルアルコール（ＰＶＡ）繊維又はビニロン繊維から紡糸されてなる、上記（１）又は（３）記載の袋。
（６）前記温水可溶糸は、水溶性ポリビニルアルコール（ＰＶＡ）繊維又はビニロン繊維から紡糸されてなる、上記（２）又は（４）記載の袋。
（７）前記水溶性ポリビニルアルコール（ＰＶＡ）繊維又はビニロン繊維は、５０℃乃至７０℃の温度域に又は６０℃±３℃の範囲内の或る温度以上に高められた温水、又は好ましくはｐＨ１０乃至１２のアルカリ温水と接触したとき、該温水に溶解する値のけん化度を有する繊維である、上記（５）記載の袋。
（８）前記水溶性ポリビニルアルコール（ＰＶＡ）繊維は、８５乃至９２のけん化度を有する繊維である、上記（７）記載の袋。
（９）前記水溶性ポリビニルアルコール（ＰＶＡ）繊維又はビニロン繊維は、５０℃乃至７０℃の温度域に又は６０℃±３℃の範囲内の或る温度以上に高められた温水と接触したとき、該温水に溶解する値のけん化度を有する繊維である、上記（６）記載の袋。
（１０）前記水溶性ポリビニルアルコール（ＰＶＡ）繊維は、８５乃至９２のけん化度を有する繊維である、上記（９）記載の袋。
（１１）前記基布は、不織布又は織布である、上記（１）、（３）、（５）、（７）及び（８）のうちいずれか一項記載の袋。
（１２）前記基布は、ポリプロピレン不織布である、上記（１１）記載の袋。
（１３）前記基布は、不織布又は織布である、上記（２）、（４）、（６）、（９）及び（１０）のうちいずれか一項記載の袋。
（１４）前記基布は、ポリプロピレン不織布である、上記（１３）記載の袋。
（１５）前記袋部品は、取手、袋口を封じ若しくは閉じるための止め部品、又は、袋口を開閉するための開閉部品である、上記（１）、（３）、（５）、（７）、（８）、（１１）及び（１２）のうちいずれか一項記載の袋。
（１６）前記止め部品は、スナップ又は釦が取付けられた止め布である、上記（１５）記載の袋。
（１７）前記開閉部品は、線ファスナーが取付けられた布、又は、面ファスナーが貼り付けられた布である、上記（１５）記載の袋。
（１８）前記付属品は、ポケット部品、窓部品、装飾布、又は、飾り材の付いた布である、上記（１）、（３）、（５）、（７）、（８）、（１１）及び（１２）のうちいずれか
一項記載の袋。
（１９）前記袋は配送品収納袋、持ち帰り袋又は買物袋である、上記（１）、（３）、（５）、（７）、（８）、（１１）、（１２）、（１５）、（１６）、（１７）及び（１８）のうちいずれか一項記載の袋。
（２０）前記袋は配送品収納袋、持ち帰り袋又は買物袋である、上記（２）、（４）、（６）、（９）、（１０）、（１３）及び（１４）のうちいずれか一項記載の袋。
【発明の効果】
【０００６】
本発明の袋は、袋部品又は付属品が袋基布に縫い付けられてなる袋であって、その袋部品又は付属品の袋基布への縫い付けにおいて温水可溶糸が用いられていることにより、袋部品又は付属品の袋基布からの取り外しを高められた温水等に浸漬させるだけで簡便に行なうことができ、よって、袋部品又は付属品が袋の基布とは異なる材質からなる又は該異なる材質の要素が含まれる袋であっても、その材質ごとの分別を容易に行なうことが可能であり、このような袋の再生・再利用の容易化を図ることができるものである。
また、本発明の袋は、袋基布同士或いは袋基布と取手布との縫い合わせにおいて温水可溶糸が用いられていることにより、袋基布同士の分解、又は取手布の袋基布からの取り外しを高められた温水等に浸漬させるだけで簡便に行なうことができ、よって、取手布が袋基布とは異なる材質からなる場合はもとより、取手布が袋基布と同じ材質である袋であっても、また袋が同種又は異なる複数種の基布から作り上げられている場合であっても、袋基布及び取手布をそれぞれ容易に分別し、それらを個々に再生・再利用することができ、そのような袋の再生・再利用を便宜かつ有利に進めることができるものである。
【図面の簡単な説明】
【０００７】
【図１】図１（ａ）は本発明の実施例１の配送品収納袋１を正面方向からみた斜視図、図１（ｂ）は配送品収納袋１を背面方向からみた斜視図であり、図１（ｃ）基布２に面ファスナー４ａが取付けられた様子を示す拡大図である。
【図２】図２は実施例１の配送品収納袋１の図１（ｃ）に示される部分のＡ−Ａ’線断面図である。
【図３】図３（ａ）は本発明の実施例１の配送品収納袋１を示す図であり、図３（ｂ）は配送品収納袋１を温水に浸漬させた工程を示す図であり、図３（ｃ）は袋本体の部分、袋部品及び付属品に分別する工程を示す図である。
【図４】図４は本発明の実施例２の持ち帰り袋２の斜視図である。
【図５】図５は本発明の実施例３の買物袋３の斜視図である。
【発明を実施するための形態】
【０００８】
本発明の第１の態様の袋は、袋の基布とは異なる材質からなる又は該異なる材質の要素が含まれる袋部品又は付属品を該基布に、所定の温度域若しくは所定の温度以上に高められた温水、アルカリ温水若しくはアルコール含有水に溶解する温水可溶糸を上糸及び下糸の少なくとも一方の糸に用いたミシン縫いにより又は該温水可溶糸を用いた手縫いにより縫い付けてなるものである。
【０００９】
上記「袋の基布」とは、袋のベースとなる生地のことであり、通常、織布又は不織布が使用されるが、特に種類が限定されるものでない。強度が優れている点や再生の容易さという点においてポリオレフィン不織布、特にポリプロピレン不織布が好ましく使用される。
【００１０】
上記「袋の基布とは異なる材質からなる袋部品」とは、取手、袋口を封じ若しくは閉じるための止め部品、又は袋口を開閉するための開閉部品等が、袋の基布とは異なる材質、例えば金属、皮革、合成樹脂などからなる場合をいう。
例えば、基布としてポリプロピレン不織布が使用されている場合、該取手が皮革、ビニ
ール、若しくは木綿からなる袋とか、皮革に装飾用金具が取付けられた取手である袋とか、該止め部品として、スナップ又は釦が取付けられたポリエステル、ナイロン、木綿等の（ポリプロピレン製でない）布である袋とか、該開閉部品としてナイロン又はポリエステルからなる面ファスナーが取付けられた袋とか、同開閉部品として取付け布がポリエステル等の（ポリプロピレン製でない）布であり且つエレメントが金属製、ポリエステル製又はナイロン製である線ファスナー等が取付けられた袋が該当する。
上記「袋の基布とは異なる材質の要素が含まれる袋部品」とは、取手、袋口を封じ若しくは閉じるための止め部品、又は袋口を開閉するための開閉部品等において、少なくとも、袋の基布とは異なる材質の要素が含まれているものをいう。
例えば、基布としてポリプロピレン不織布が使用されている場合、該取手がポリプロピレン不織布又は織布に皮、ビニール、木綿又は金属等が取付けられた取手である袋とか、袋に取付けられた該止め部品がスナップ又は釦が取付けられたポリプロピレン以外の材質の不織布又は織布である袋とか、袋に縫い付けられた開閉部品が、ベース部がポリプロピレン製の布でありフック部がポリエステル製である面ファスナー、又は取り付け布がポリプロピレン不織布又は織布であり且つエレメントが金属製、ポリエステル製又はナイロン製である線ファスナーである袋が該当する。
また、上記「袋の基布とは異なる材質からなる付属品」とは、ポケット部品、窓部品、装飾布、又は飾り材が付いた布が袋の基布とは異なる材質からなるものをいい、例えば、基布としてポリプロピレン不織布が使用されている場合において、袋に縫い付けられたポケット部品がＰＥＴのみからなるポケット部品等である袋とか、袋に縫い付けられた窓部品がＰＥＴのみからなる窓部品である袋とか、袋に縫い付けられた装飾布が木綿のみからなる装飾用の布である袋とか、そして袋に縫い付けられた飾り材が付いた布が、金属の飾り材が取付けられたポリエステルの布である袋等が該当する。
また、上記「袋の基布とは異なる材質の要素が含まれる付属品」とは、ポケット部品、窓部品、装飾布、又は飾り材が付いた布が袋の基布とは異なる材質の要素を含むものをいう。
例えば、基布としてポリプロピレン不織布が使用されている場合に、袋に縫い付けられたポケット部品がＰＥＴとポリプロピレン不織布が組み合わされたポケット部品である袋とか、袋に縫い付けられた窓部品がＰＥＴとポリプロピレン不織布が組み合わされた窓部品である袋とか、袋に縫い付けられた装飾布がポリプロピレン不織布に木綿等の他の材質が組み合わされた装飾布である袋とか、そして袋に縫い付けられた飾り材が付いた布が、ポリプロピレン不織布に金属、木綿等の他の材質が組み合わされた布である袋が該当する。
【００１１】
上記「所定の温度域に高められた温水若しくはアルコール含有水に溶解する温水可溶糸」とは、その温度域にまで高められた温水若しくはアルコール含有水と接触したとき、その温水、アルカリ温水若しくはアルコール含有水に溶解する糸をいい、その温度域を下回る温度の温水、アルカリ温水若しくはアルコール含有水では溶解しない糸である。
また、上記「所定の温度以上に高められた温水、アルカリ温水若しくはアルコール含有水に溶解する温水可溶糸」とは、その或る温度以上に高められた温水、アルカリ温水若しくはアルコール含有水に接触したとき、その温水、アルカリ温水若しくはアルコール含有水に溶解する糸をいい、それを下回る温度の水、アルカリ温水若しくはアルコール含有水では溶解しない糸である。
【００１２】
そして、本発明の第１の態様において、袋部品又は付属品の基布への取付けは、該温水可溶糸を上糸又は下糸のいずれか一方に用いたミシン縫い又は該温水可溶糸を用いた手縫いによって行われる。
【００１３】
本発明の第１の態様の袋にあっては、例えば、該袋を所定の温度域若しくは所定の温度以上に高められた温水、アルカリ温水若しくはアルコール含有水に浸漬することにより、
温水可溶糸が溶解し、縫い付けが解け、袋部品又は付属品が袋本体の基布から分離する。そのため、例えば袋の再生処理において、その不可欠な処理である袋の洗浄工程においてそのような温度域又は温度以上に高められた温水、アルカリ温水若しくはアルコール含有水に袋を浸漬するだけで、袋部品又は付属品を袋本体の基布から分離することができる。その結果、袋部品又は付属品が袋本体の基材の材質と異なるものからなる又は異なる材質を含むものであったとしても、容易に袋部品又は付属品と袋本体の基布を材質ごとに分別し、そして分別されたもの毎の再生処理に容易に供することが可能であり、袋の再生・再利用の容易化を図ることができる。
【００１４】
本発明において、温水可溶糸は通常使用時に水に濡れた場合などで溶解しないよう、例えば５０℃以下の水、アルカリ温水又はアルコール含有水には不溶である必要がある。
一方、該温水可溶糸が例えば８０℃又は９０℃を超える温度に高められた温水等でないと溶解しない場合、温水等を加熱するための燃料費がかかり再生のためのコストが高くつくものとなるため、該糸は高くても約７０℃程度の温水に溶解するものであるのが望ましい。
該温水可溶糸は或る温度域内にわたって温水、アルカリ温水又はアルコール含有水に溶解する性質を有するものであってもよく、また或る温度を超えると著しく温水、アルカリ温水又はアルコール含有水に溶解する性質を有するものでもよい。後者の性質を有する温水可溶糸はたとえば６０℃程度の温水で急に易溶になるものが、経済性の面で有利である。
よって、本発明で使用される温水可溶糸としては、５０℃乃至７０℃の温度域に又は例えば６０℃±３℃の範囲内の或る温度以上に高められた温水、アルカリ温水若しくはアルコール含有水において易溶解する糸であることが好ましい。
なお、本発明において、上記アルカリ温水としては好ましくはｐＨが１０乃至１２の範囲のものが使用されることから、アルカリ温水に溶解する温水可溶糸としてはｐＨ１０乃至１２の範囲のアルカリ温水に易溶解する糸であることが好ましい。
【００１５】
上記「所定の温度域又は或る温度以上に高められた温水、アルカリ温水若しくはアルコール含有水に溶解する温水可溶糸」は、例えば水溶性ポリビニルアルコール（ＰＶＡ）繊維から紡糸されてなる糸であって、そのけん化度を特定の範囲のものに調整することにより得ることができる。
５０℃乃至７０℃の温度域に又は６０℃±３℃の範囲内の或る温度以上に高められた温水、アルカリ温水若しくはアルコール含有水において易溶解するためには、水溶性ポリビニルアルコール（ＰＶＡ）繊維から紡糸されてなる糸のけん化度は、特に８５乃至９２の範囲内にすることが好ましい。
上述の温水可溶糸は、ビニロン繊維から紡糸されてなる糸であってもよく、アセタール化度を特定の範囲内の値にすることによって、５０℃乃至７０℃の温度域に又は６０℃±３℃の範囲内の或る温度以上に高められた温水、アルカリ温水若しくはアルコール含有水において易溶解する性質を有するものとすることができる。
【００１６】
最後に、本態様の袋の再生方法の一例をここに述べる。
まず使用済みの袋を店舗等から回収した後、５０℃乃至７０℃の温度域又は６０℃以上に高められた温水、アルカリ温水若しくはアルコール含有水で袋を洗浄する。
このとき、温水可溶糸が溶解するため、該糸によって袋本体の基布に取り付けられていた袋部品や付属品が袋本体の基布から外れる。
次いで、袋本体、袋部品又は付属品を材質ごとに分別し、そして分別されたもの毎に必要な再生処理が施される。
そして袋本体に、新たな袋部品若しくは付属品、又は再生された袋部品若しくは付属品を温水可溶糸等を用いたミシン縫いによって縫い付けることによって、新たな袋として再生される。
【００１７】
本発明の第２の態様は、袋状に形作られた基布同士を、或いは袋の基布と取手布とを、所定の温度以上に若しくは所定の温度域に高められた温水、アルカリ温水若しくはアルコール含有水に溶解する温水可溶糸を上糸及び下糸の少なくとも一方の糸に用いたミシン縫いにより又は該温水可溶糸を用いた手縫いにより縫い上げてなる袋に関する。
【００１８】
本発明の第２の態様において基布としては、本発明の第１の態様で基布として挙げたものと同様のものが適用され得る。
また、本態様における取手布とは、袋本体の基布と同じ材質からなるものであってよいがこれに限定されず、該基布とは異なる材質からなるもの、又は該基布と異なる材質の要素を含むものであってもよい。
該取手布としては、例えば、基布としてポリプロピレン不織布を使用している場合、ポリエステル織布からなる取手布が挙げられる
また、本態様における温水可溶糸としては、第１の態様で温水可溶糸として挙げたものと同様のものが適用され得る。
【００１９】
このような構成によって、本発明の第２の態様の袋は、取手布が袋本体の基布と同じ材質からなるものであったとしても、洗浄工程などにおいて所定の温度域又は或る温度以上に高められた温水又はアルコール含有水に浸漬することにより該取手布を袋本体の基布から容易に取外し、袋本体と取手布とを簡単に分別することができ、そして分別された袋本体及び取手布をそのまま袋の再生・再利用工程に供することができる。
また、同じ種類又は異なる種類の複数の基布から袋状に形作られている袋であって、袋本体の基布同士の縫い合わせに前記温水可溶糸が使用されている場合、上記のように洗浄工程などにおいて袋本体を１枚ずつの基布に容易に分解することができ、よって、分別されたそれら基布を再生処理後袋状に縫い上げ、新たな袋本体を形成するという袋の再生・再利用に供することができる。
【００２０】
袋の基布と取手布との取付けに温水可溶糸を使用した袋の再生方法の一例を以下に示す。
回収された袋を５０℃乃至７０℃の温度域又は６０℃以上の温度に高められた温水、アルカリ温水又はアルコール含有水で袋を洗浄する。
このとき、温水可溶糸が溶解するため、該糸によって袋本体の基布に取り付けられていた取手布が袋本体の基布から外れる。
その後分離した取手布と袋本体を分別し、そして再生処理を施し、その後再生された取手布又は新たな取手布を温水可溶糸を用いたミシン縫いにより該袋本体に取付けることにより、再生された袋を製造することができる。
【実施例】
【００２１】
以下、本発明の望ましい実施態様について詳細に説明するが、本発明は本実施例の態様に限定されるものではない。
【００２２】
図１（ａ）は本発明の実施例１の配送品収納袋１を正面方向からみた斜視図であり、図１（ｂ）は配送品収納袋１を背面方向からみた斜視図であり、図１（ｃ）は基布２に面ファスナー４ａが取付けられた様子を示す拡大図である。
図１（ａ）及び（ｂ）に示すように、本発明の配送品収納袋１は、ポリプロピレン不織布シートの基布２同士を縫い合わせて形成されるものであり、線状に閉じたたみうる袋底部９と、内側に折り畳みうる袋側部１２と、一対の面ファスナー４ａ、４ｂが基布２に縫い付けられた配送品出し入れ口３が形成された袋上部１３とを備えてなるものであり、袋内部の内容物を視認するためのＰＥＴ製の透明な窓部品６、配送伝票等を収納できるポケットを形成するＰＥＴ製の透明なポケット部品７、そして出し入れ口３の部分を折り曲げて
配送品収納袋１を小さくたたむようにするための一対の面ファスナー５ａ、５ｂが基布２に縫い付けられている。
そして、図２に、配送品収納袋１のＡ−Ａ’線断面図、すなわち基布２と面ファスナー４ａとの縫い目の拡大断面図を示す。図２に示すように、窓部品６、ポケット部品７の縫い付け、基布２同士の縫い合わせは、上糸１０及び下糸１１の双方に約８５乃至９２のけん化度を有する水溶性ポリビニルアルコール（ＰＶＡ）繊維から紡糸されてなる温水可溶糸８ａを使用したミシン縫いにより行い、面ファスナー４ａ、４ｂ、５ａ及び５ｂの縫い付けには、上糸１０に面ファスナーと同色に染色されたポリプロピレン製の糸８ｂを用い、下糸１１に上記の温水可溶糸８ａを用いたミシン縫いによって行なった。
面ファスナーの縫い付けにおいて上糸１０を面ファスナーと同色に染色された糸にすることにより、図２に示される通り面ファスナー４ａの表面に見える縫い目を目立たなくすることができる。
【００２３】
次に使用済みの配送品収納袋１の再生方法について図３を用いて説明する。小売店等から回収後の図３（ａ）に示される使用済みの持ち帰り袋１は、温度が約６０℃乃至７０℃に保たれた温水槽１５ｂに投入し、図３（ｂ）に示されるように、温水１５ａに浸漬することにより洗浄を行った。
浸漬後まもなく温水１５ａと接触することにより温水可溶糸８ａが溶解し、温水可溶糸８ａによる縫い付けが解け、図３（ｃ）に示されるように、袋基布２から面ファスナー４ａ、４ｂ、５ａ及び５ｂ、窓部品６、並びにポケット部品７が分離し、また、袋基布２同士の縫い合わせが解け、１枚ずつの袋基布２に分解した。
洗浄後、基布２、面ファスナー４ａ、４ｂ、５ａ及び５ｂ、窓部品６並びにポケット部品７を種類毎にそれぞれ分別し、必要な再生処理を施した。
再生処理後の基布２は、温水可溶糸８ａを用いて再生前の配送品収納袋１と同様に袋状に縫い合わされた後、再生処理された面ファスナー４ａ、４ｂ、５ａ及び５ｂ、窓部品６並びにポケット部品７を温水可溶糸８ａを用いて袋基布２に縫い付けることにより、当初の構成どおりの再生された配送品収納袋を製造することができた。
【００２４】
実施例２
図４は、本発明の一実施例の持ち帰り袋１６を図示する斜視図である。図４に示すように、本発明の持ち帰り袋１６は、ポリプロピレン不織布からなる基布２をポリプロピレン製の糸で縫い合わせることにより形成した袋本体２０と、その出し入れ口１９近傍にポリエステル製不織布からなる取手布１７と、袋本体２０の表面にポリプロピレン不織布製のポケット部品１８とを備えてなり、取手布１７とポケット部品１８は、実施例１で用いられた上記の温水可溶糸８ａを用いたミシン縫いにより袋本体２０の基布２に縫い付けられているものである。
【００２５】
次に使用済みの持ち帰り袋１６の再生方法について説明する。実施例１と同様に、使用済みの持ち帰り袋１６は、小売店等から回収した後、温度が約６０℃乃至７０℃に保たれたアルカリ温水槽に投入し、アルカリ温水に浸漬することにより洗浄を行った。このときアルカリ温水のｐＨは１０乃至１２の範囲内であった。
浸漬後まもなくアルカリ温水と接触することにより温水可溶糸８ａが溶解し、温水可溶糸８ａによる縫い付けが解け、袋基布２から取手布１７及びポケット部品１８が分離した。
洗浄後、袋本体２０、取手布１７及びポケット部品１８を種類毎にそれぞれ分別し、必要な再生処理を施した。
再生処理後の袋本体２０に、再生処理がなされた取手布１７及びポケット部品１８を温水可溶糸８ａを用いたミシン縫いにより袋本体２０の基布２に縫い付けることにより当初の構成通りの再生された持ち帰り袋を製造することができた。
このとき、必要に応じて取手布１７及びポケット部品２０とは異なる材質又は模様のポ
ケット部品又は取手布を取り付けることもできる。
【００２６】
実施例３
図５は、本発明の一実施例の買物袋２１を図示する斜視図である。図５に示すように、本発明の買物袋２１は、ポリエチレンフィルムの基布２２と、取手２３及び出し入れ口２５を有する袋本体２６と、その表面にポリプロピレン不織布からなるポケット部品２４を備えてなるものであり、ポケット部品２４は実施例１で用いられた温水可溶糸８ａを用いたミシン縫いにより袋本体２６の基布２２に縫い付けられているものである。
【００２７】
次に使用済みの買物袋２１の再生方法について説明する。まず、実施例１及び実施例２と同様に使用済みの買物袋２１は小売店等から回収した後、温度が約６０℃乃至７０℃に保たれたアルカリ温水槽に投入し、アルカリ温水に浸漬することにより洗浄を行った。このときアルカリ温水のｐＨは１０乃至１２の範囲内であった。
浸漬後まもなくアルカリ温水と接触することにより温水可溶糸８ａが溶解し、温水可溶糸８ａによる縫い付けが解け、袋基布２２からポケット部品２４が分離した。
洗浄後、袋本体２６及びポケット部品２４を種類毎にそれぞれ分別し、必要な再生処理を施した。
袋本体２６の溶融、フィルム化をして裁断によってポリエチレンフィルム基布からなる袋本体として再生されその後、該袋本体に再生処理がされたポケット部品２４を温水可溶糸８ａを用いたミシン縫いにより縫い付けることにより、当初の構成通りの再生された買物袋を製造することができた。
【符号の説明】
【００２８】
１                            配送品収納袋
２、２２                      基布
４ａ、４ｂ、５ａ、５ｂ        面ファスナー
６                            窓部品
７、１８、２４                ポケット部品
８ａ                          温水可溶糸
１０                          上糸
１１                          下糸
１５ａ                        温水
１６                          持ち帰り袋
１７                          取手布
２１                          買物袋
【図４】
2014125269.tif 000003
【図５】
2014125269.tif 000004
【図１】
2014125269.tif 000005
【図２】
2014125269.tif 000006
【図３】
2014125269.tif 000007